(57)【要約】【課題】電気柵用の通電線に係り、電気絶縁テープを裸電線の外周に隙間をあけて螺旋状に巻きつけることにより、電気柵の機能を発揮できながら通電線のショート事故を防止できようにした電気柵用の通電線に関する技術である。【解決手段】電気柵の電源装置に接続されて用いられる電気柵用の通電線１であって、第一所定幅Ｌ１の電気絶縁テープ２を、裸電線３の表面４が長手方向に第二所定幅Ｌ２で螺旋状に残るように、前記裸電線３の外周に螺旋状に巻き付けることにより、従来の電気柵における強風などにより２本の裸電線が接触してショートするという事故を、間隔保持具を用いることなく確実に防止することができるので、ショートによる漏電遮断器の作動のおそれがなくなり、頻繁な見回りなどの電気柵の保守管理の工数を低減することができるようにした電気柵用の通電線１である。【選択図】図１
2014183755.tif 000002
【特許請求の範囲】
【請求項１】
電気柵の電源装置に接続されて用いられる電気柵用の通電線であって、第一所定幅の電気絶縁テープを、裸電線の表面が長手方向に第二所定幅で螺旋状に残るように、前記裸電線の外周に螺旋状に巻き付けたことを特徴とする電気柵用の通電線。
【請求項２】
前記電気絶縁テープは、厚みが０．３ｍｍ〜１．０ｍｍ、前記第一所定幅が１ｍｍ〜１０ｍｍであり、前記第二所定幅が５ｍｍ〜２０ｍｍであり、前記裸電線の外径が１．０ｍｍ〜３．２ｍｍであることを特徴とする請求項１に記載の電気柵用の通電線。
【発明の詳細な説明】
【技術分野】
【０００１】
本発明は、野生動物による獣害防止、家畜の逃走防止などに利用されている電気柵用の通電線に係り、電気絶縁テープを裸電線の外周に隙間をあけて螺旋状に巻きつけることにより、電気柵の機能を発揮できながら通電線のショート事故を防止できようにした電気柵用の通電線に関する技術である。
【背景技術】
【０００２】
従来、電気柵は上下に複数の裸電線を張り巡らせて、猪、鹿、猿、狸、アライグマ、ハクビシン、熊、ヌートリアなどの野生動物が田畑に侵入しようとして裸電線に触れると衝撃電流を野生動物に与えるようにしている。
衝撃電流を与えられた野生動物は、電撃ショックの経験により電気柵に近寄らないようになり、このようにして、獣害による田畑の農作物を保護するようにしている。
【０００３】
そして、従来の電気柵は、獣害を防止する対象の野生動物の種類によって、種々の構成のものが提案されている。
すなわち、例えば、猿による猿害防止用の電気柵は、猿の侵入を防止したい境界線に沿って数ｍ間隔で立設された支柱間に、合成樹脂製又は金属製のネットを張り渡し、このネットの上部に、所定間隔で例えば４本の裸電線を張り渡し、これら裸電線を交互に電源装置のプラス極とマイナス極とに接続している。
【０００４】
猿がネットをよじ登り裸電線を乗り越えようとして、一方の手をプラス極の裸電線に掛け他方の手をマイナス極の裸電線に掛けた際に、衝撃電流を猿に与えるようにしている。
猿は、その電撃により、手を離してネットの外側に落ち、電撃ショックの経験により、その後も電気柵に近寄らなくなるようにしたものが知られている（例えば、特許文献１及び特許文献２参照）。
【０００５】
また、例えば、猪、鹿、熊などの電気柵を飛び越えない野生動物の獣害防止用の電気柵は、侵入を防止したい境界線に沿って数ｍ間隔で立設された支柱間に、設置地面の上方に６本の裸電線を張り渡し、上下に隣合う一対の裸電線を電源装置のプラス極とマイナス極とに接続している。
そして、野生動物が電気柵を潜り抜けようとして野生動物の体が上下に隣合う一対の裸電線に触れると、衝撃電流が野生動物の体に流れ、野生動物はその電撃ショックの経験により、その後も電気柵に近寄らなくなるようにしたものが知られている（例えば、特許文献３の図２参照）。
【先行技術文献】
【特許文献】
【０００６】
【特許文献１】特開平６−２２５６８０号公報
【特許文献２】特開平１１−２０６３０５号公報
【特許文献３】特開平１１−１６９００７号公報
【発明の概要】
【発明が解決しようとする課題】
【０００７】
特許文献１〜３に記載された従来の電気柵に用いられる裸電線は、強風により上下の電線が接触してショートしたり、カラス、鳩、ムクドリなどが裸電線に止まって、裸電線が下方に垂れてその下の裸電線と接触してショートしたりする事故が生ずることがあった。
このように、従来の電気柵に用いられる極性の異なる２本の裸電線が接触してショートすると、電気柵の電源装置には漏電遮断器が付設されており、リセットしない限り電気柵の機能が停止するのである。
【０００８】
そして、電気柵の機能が停止しているときに、野生動物が田畑に侵入して農作物を食い荒らすことができた場合、それ以後は害獣にとって電気柵は安全で餌もあるという学習となってしまい、被害が拡大することになる。
したがって、従来の電気柵においては、電気柵の機能が停止していないことを頻繁に見回らなければならず、保守管理の工数がかかるという課題があった。
【０００９】
また、２本の裸電線が接触してショートするという事故を防止するために、２本の裸電線間にその間隔を保持する間隔保持具を２本の裸電線に固定することも行われている。
しかしながら、間隔保持具は裸電線の水平方向に例えば５０ｃｍ間隔で設けるため多数必要であり、電気柵の設置時の取付工数がかかるとともに、間隔保持具の調達費が余分にかかるという新たな課題があった。
【００１０】
本発明は、このような従来の電気柵用の裸電線が有していた課題を解決しようとするものであり、電気絶縁テープを裸電線の外周に隙間をあけて螺旋状に巻きつけることにより、電気柵の機能を発揮できながら通電線のショート事故を防止できるようにした電気柵用の通電線とすることを目的としている。
【課題を解決するための手段】
【００１１】
請求項１に係る本発明の電気柵用の通電線は、電気柵の電源装置に接続されて用いられる電気柵用の通電線であって、第一所定幅の電気絶縁テープを、裸電線の表面が長手方向に第二所定幅で螺旋状に残るように、前記裸電線の外周に螺旋状に巻き付けたことを特徴とするものである。
【００１２】
請求項２に係る本発明の電気柵用の通電線は、請求項１に係る本発明の電気柵用の通電線の構成に加え、前記電気絶縁テープは、厚みが０．３ｍｍ〜１．０ｍｍ、前記第一所定幅が１ｍｍ〜１０ｍｍであり、前記第二所定幅が５ｍｍ〜２０ｍｍであり、前記裸電線の外径が１．０ｍｍ〜３．２ｍｍであることを特徴とするものである。
【発明の効果】
【００１３】
請求項１に係る本発明の電気柵用の通電線は、電気絶縁テープを裸電線の表面が螺旋状に残るように裸電線の外周に巻き付けたから、２本の裸電線がショートするという事故を間隔保持具を用いることなく、確実に防止することができるのである。
したがって、ショートによる漏電遮断器が作動するおそれがなくなり、頻繁な見回りなどの保守管理の工数を低減することができるのである。
なお、漏電遮断器は、野生動物が極性の異なる一対の通電線に触れたときには、電撃ショックを野生動物に与えるが、漏電遮断器が作動する電流が流れることがないので、電気柵の機能が停止することはないのである。
【００１４】
請求項２に係る本発明の電気柵用の通電線は、請求項１に係る本発明の電気柵用の通電線の効果に加え、その構成を特定範囲に定めているから、ショートするという事故の防止と野生動物等への電撃ショックをより確実にできるのである。
【図面の簡単な説明】
【００１５】
【図１】本発明の実施の形態に係る電気柵用の通電線の正面図である。
【図２】本発明の実施の形態に係る電気柵用の通電線を電気柵に設置した参考図１である。
【図３】本発明の実施の形態に係る電気柵用の通電線を電気柵に設置した参考図２である。
【図４】図２及び図３における部分拡大図で、一対の通電線が接触した際の参考図３である。
【図５】本発明の実施の形態の変形例を示す電気柵用の通電線の正面図である。
【発明を実施するための形態】
【００１６】
以下、本発明の実施の形態を添付した図面により詳細に説明する。
図１は本発明の実施の形態１に係る図面であり、図１において、１は、電気柵の電源装置に接続されて用いられる電気柵用の通電線である。
【００１７】
前記通電線１は、第一所定幅Ｌ１の電気絶縁テープ２を、裸電線３の表面４が長手方向に第二所定幅Ｌ２で螺旋状に残るように、裸電線３の外周に螺旋状に巻き付けている。
裸電線３は、アルミニウム線、ステンレススチール線、亜鉛メッキ鉄線、銅線などの電気良導体からなる単線であり、その線径を１．０ｍｍ〜３．２ｍｍとするのである。
【００１８】
裸電線３の材質及び線径は、電気柵が対象とする野生動物の獣種により、適宜選定するのである。
この実施の形態では、裸電線３の材質をアルミニウムとし、その線径を２．０ｍｍとしている。
【００１９】
また、前記電気絶縁テープ２は、ポリ塩化ビニール、ポリエチレン、ポリエステルなどの合成樹脂製の表面側基材とコム系、アクリル系などの裏面側粘着材とからなり、その厚みを０．３ｍｍ〜１．０ｍｍ、前記第一所定幅Ｌ１を１ｍｍ〜１０ｍｍとするのである。
この実施の形態では、電気絶縁テープ２の材質をポリ塩化ビニールの表面側基材にブチルゴムを主成分とした粘着材を備えるとともに、厚みを０．５ｍｍ、第一所定幅Ｌ１を３ｍｍとしている。
【００２０】
そして、前記通電線１は、幅３ｍｍで厚み０．５ｍｍの電気絶縁テープ３を、線径２．０ｍｍのアルミニウム線からなる裸電線３の表面４が長手方向に１０ｍｍの第二所定幅Ｌ２で螺旋状に残るように、裸電線３の外周に巻き付けている。
なお、この実施の形態では、前記第二所定幅Ｌ２を１０ｍｍとしたが、５ｍｍ〜２０ｍｍの範囲で選定するのである。
【００２１】
また、前記電気絶縁テープ３を合成樹脂製の表面基材と裏面側粘着材とから予め形成して、裸電線３の外周に巻き付けるようにしたが、押出し成型機械から１種類の電気絶縁性の合成樹脂を押し出しながら裸電線に螺旋状に巻き付けて電気絶縁テープとすることもできる。
前記第二所定幅Ｌ２、裸電線３の線径、電気絶縁テープ２の厚み及び第一所定幅Ｌ１は、極性の異なる１対の通電線１、１が接触した際のショートを確実に防止し、かつ、野生動物が触れた際に電撃ショックを野生動物に確実に与えるように、相互の関係を総合的に検討して選定するのである。
【００２２】
次に、この実施の形態に係る電気柵用の通電線１を電気柵に設置した使用例を、図２〜図４の参考図に基づいて説明する。
図２は猿による猿害防止用の電気柵１１を示したものであり、図３は猪等による獣害防止用の電気柵１１ａを示したものであり、図４(a)及び図４(b)は図２及び図３における一対の通電線が接触した状態を図４(c)に二点鎖線で示す範囲の部分拡大図である。
【００２３】
図２において、電気柵１１は、猿の進入を防止したい境界線に沿って３ｍ間隔で立設された支柱１２、１２間に、高さ１ｍの金属製のネット１３を張り渡し、このネット１３の上部に１５ｃｍの間隔で、この実施の形態に係る６本の通電線１を張り渡している。
そして、蓄電池、パルス発生器、漏電遮断器など（図示せず）を内蔵した電源装置１４を設置して、パルス発生器のプラス極１５とマイナス極１６とをプラス側出力線１５ａとマイナス側出力線１６ａとで、６本の前記通電線１に上方から交互に接続している。
【００２４】
このようにして図２においては、プラス極１５とマイナス極１６を一対とする通電線１、１を３組１７ａ、１７ｂ、１７ｃ形成している。
したがって、猿がネット１３をよじ登り通電線１を乗り越えようとして、一方の手をプラス極１５の通電線１に掛け他方の手をマイナス極１６の通電線１に掛けると、衝撃電流を猿に与えることができるのである。
【００２５】
猿は、その電撃により、手を離してネット１３の外側に墜落し、電撃ショックの経験により、その後も電気柵１１に近寄らなくなるのである。
なお、図２において、１８は電源ランプ、１９は電源スイッチ、ＧＬは設置地面である。
【００２６】
また、図３において、電気柵１１ａは、猪等の進入を防止したい境界線に沿って３ｍ間隔で立設された支柱１２ａ、１２ａ間に、設置地面ＧＬの上方に１５ｃｍの間隔で、この実施の形態に係る６本の通電線１を張り渡している。
そして、図２と同様に蓄電池、パルス発生器、漏電遮断器など（図示せず）を内蔵した電源装置１４を設置して、パルス発生器のプラス極１５とマイナス極１６とをプラス側出力線１５ａとマイナス側出力線１６ａとで、６本の前記通電線１に上方から交互に接続している。
【００２７】
このようにして図３においては、図２と同様に、プラス極１５とマイナス極１６を一対とする通電線１、１を３組１７ａ、１７ｂ、１７ｃ形成している。
したがって、猪等が一対の通電線１、１のいずれかの組１７ａ、１７ｂ、１７ｃを潜り抜けようとすると、猪等の体が一対の通電線１、１に接触して、衝撃電流を猪等に与えることができるのである。
【００２８】
猪等は、その電撃により、一対の通電線１、１いずれかの組１７ａ、１７ｂ、１７ｃを潜り抜けるのを諦め、電撃ショックの経験により、その後も電気柵１１ａに近寄らなくなるのである。
そして、図２及び図３に示す電気柵１１、１１ａに用いたプラス極１５とマイナス極１６を一対とする通電線１、１が強風等により、接触した場合を図４に示しており、図４(a)及び図４(b)が図４(c)の二点鎖線Ｃで示した部分の拡大図である。
【００２９】
図４(a)に示すように、一対の通電線１、１が強風等により接触しても、上下の通電線１、１の電気絶縁テープ２、２同士が接触するので、裸電線３、３同士が接触するおそれはないのである。
また、図４(b)では、一対の通電線１、１が強風等により接触しても、一方の通電線１の電気絶縁テープ２が他方の通電線１の裸電線３に接触して、裸電線３、３同士が接触するおそれはないのである。
【００３０】
このように、プラス極１５とマイナス極１６を一対とする通電線１、１がショートすることを確実に防ぐことができるのである。
【００３１】
つぎに、上記実施の形態の変形例を図５により説明する。
この変形例は、上記実施の形態における裸電線の外径及び電気絶縁テープの厚みをそれぞれ小さくするとともに、裸電線の表面が長手方向に螺旋状に残る第二所定幅を小さくした点で、上記の実施の形態と相違し、他は同様である。
【００３２】
すなわち、図５において、前記通電線１ａは、厚みが０．３ｍｍの電気絶縁テープ２ａを、線径１．２ｍｍの裸電線３ａの表面４ａが長手方向に第二所定幅が７ｍｍで螺旋状に残るように、裸電線３ａの外周に螺旋状に巻き付けている。
この変形例は、裸電線３ａの線径を１．２ｍｍとしたので、電気絶縁テープ２ａを裸電線３ａの外周に螺旋状に巻きつけると、螺旋角度が小さくなって裸電線３ａの表面４ａの長手方向の第二所定幅が小さくなる。
【００３３】
したがって、この変形例では、野生動物に確実に一対の裸電線３ａ、３ａを接触させて電撃ショックを確実に野生動物に与えるために、電気絶縁テープ２ａの厚みを薄くしたのである。
以上の実施の形態では、図２の参考図１及び図３の参考図２において、一対の通電線１、１を用いたが、プラス極１５及びマイナス極１６の一方の極を通電線１とし、他方の極を裸電線としてもよい。
【００３４】
すなわち、図４(b)の参考図３から明らかなように、通電線１と裸電線とが接触しても通電線１の電気絶縁テープが裸電線と接触するので、ショートするおそれはない。
また、以上の実施の形態では、獣害防止用の電気柵に用いる通電線１、１ａについて説明したが、上記の構成の通電線１、１ａは、獣害防止用の電気柵に替えて家畜が飼育場所から逃走することを防止する電気柵に適用することもできるのである。
【符号の説明】
【００３５】
１、１ａ  通電線
２、２ａ  電気絶縁テープ
３、３ａ  裸電線
４、４ａ  裸電線の表面
１１、１１ａ  電気柵
１２、１２ａ  支柱
１３  ネット
１４  電源装置
１５  プラス極
１５ａ  プラス側出力線
１６  マイナス極
１６ａ  マイナス側出力線
１７ａ、１７ｂ、１７ｃ  一対の通電線
１８  電源ランプ
１９  電源スイッチ
Ｃ  ２点鎖線
ＧＬ  設置地面
Ｌ１  第一所定幅
Ｌ２  第二所定幅
【図１】
2014183755.tif 000003
【図２】
2014183755.tif 000004
【図３】
2014183755.tif 000005
【図４】
2014183755.tif 000006
【図５】
2014183755.tif 000007